(57)【要約】【課題】インタレース信号として符号化された映像の素材と混在させて編集する際に効率的な編集を可能とする。【解決手段】プログレッシブ方式の第１の映像信号を得る。この第１の映像信号を符号化する。第１の映像信号あるいは第１の映像信号の解像度および/またはフレームレートを低下させた第２の映像信号をプログレッシブ信号からインタレース信号に変換して第３の映像信号を得る。第３の映像信号を符号化する。第１の映像信号の符号化データおよび第３の映像信号の符号化データを記録メディアに記録する。【選択図】図１
2016005032.tif 000002
【特許請求の範囲】
【請求項１】
プログレッシブ方式の第１の映像信号を符号化する第１の符号化部と、
上記第１の映像信号あるいは上記第１の映像信号の解像度および/またはフレームレートを低下させた第２の映像信号をプログレッシブ信号からインタレース信号に変換して第３の映像信号を得るスキャンモード変換部と、
上記第３の映像信号を符号化する第２の符号化部とを備える
符号化装置。
【請求項２】
上記第１の映像信号を得る撮像部をさらに備える
請求項１に記載の符号化装置。
【請求項３】
上記第１の符号化部で得られた符号化データおよび上記第２の符号化部で得られた符号化データを記録メディアに記録する記録部をさらに備える
請求項１に記載の符号化装置。
【請求項４】
上記第１の映像信号を得る撮像部と、
上記第１の符号化部で得られた符号化データおよび上記第２の符号化部で得られた符号化データを記録メディアに記録する記録部とをさらに備える
請求項１に記載の符号化装置。
【請求項５】
上記第２の映像信号または上記第３の映像信号を選択的に取り出す選択部をさらに備え、
上記第２の符号化部は、
上記選択部で取り出された映像信号を符号化する
請求項１に記載の符号化装置。
【請求項６】
上記第２の映像信号は、ＨＤ解像度で、フレームレートが２９．９７Ｈｚまたは２５Ｈｚのプログレッシブ信号である
請求項１に記載の符号化装置。
【請求項７】
上記第１の映像信号は、４ｋ以上の解像度のプログレッシブ信号である
請求項１に記載の符号化装置。
【請求項８】
上記第２の符号化部は、
ＩＳＯ/ＩＥＣ  １３８１８−２  ＭＰＥＧ−２方式の符号化を行う
請求項１に記載の符号化装置。
【請求項９】
上記第２の符号化部は、
ＩＳＯ/ＩＥＣ  １４４９６−１０  ＭＰＥＧ−４  ＡＶＣ方式の符号化を行う
請求項１に記載の符号化装置。
【請求項１０】
プログレッシブ方式の第１の映像信号を第１の符号化部で符号化する第１の符号化ステップと、
上記第１の映像信号あるいは上記第１の映像信号の解像度および/またはフレームレートを低下させた第２の映像信号をプログレッシブ信号からインタレース信号に変換して第３の映像信号を得るスキャンモード変換ステップと、
上記第３の映像信号を第２の符号化部で符号化する第２の符号化ステップとを有する
符号化方法。
【請求項１１】
プログレッシブ方式の第１の映像信号を得る撮像部と、
上記第１の映像信号を符号化する第１の符号化部と、
上記第１の映像信号あるいは上記第１の映像信号の解像度および/またはフレームレートを低下させた第２の映像信号をプログレッシブ信号からインタレース信号に変換して第３の映像信号を得るスキャンモード変換部と、
上記第３の映像信号を符号化する第２の符号化部とを備える
カメラ。
【請求項１２】
プログレッシブ方式の第１の映像信号を符号化する第１の符号化部と、
上記第１の映像信号あるいは上記第１の映像信号の解像度および/またはフレームレートを低下させた第２の映像信号をプログレッシブ信号からインタレース信号に変換して第３の映像信号を得るスキャンモード変換部と、
上記第３の映像信号を符号化する第２の符号化部と、
上記第１の符号化部で得られた符号化データおよび上記第２の符号化部で得られた符号化データを記録メディアに記録する記録部とを備える
レコーダ。
【請求項１３】
プログレッシブ方式の第１の映像信号を得る撮像部と、
上記第１の映像信号を符号化する第１の符号化部と、
上記第１の映像信号あるいは上記第１の映像信号の解像度および/またはフレームレートを低下させた第２の映像信号をプログレッシブ信号からインタレース信号に変換して第３の映像信号を得るスキャンモード変換部と、
上記第３の映像信号を符号化する第２の符号化部と、
上記第１の符号化部で得られた符号化データおよび上記第２の符号化部で得られた符号化データを記録メディアに記録する記録部とを備える
カメラ一体型レコーダ。
【発明の詳細な説明】
【技術分野】
【０００１】
本技術は、符号化装置、符号化方法、カメラ、レコーダおよびカメラ一体型レコーダに関し、特に、プログレッシブ方式の映像信号を取り扱う符号化装置などに関する。
【背景技術】
【０００２】
従来、高解像度の画像信号とともに低解像度の画像信号を符号化、記録するカメラ一体型レコーダ（以下、適宜、「カムコーダ」という）や、レコーダが存在する。低解像度の符号化データは、高解像度の本線データに対してプロキシと呼ばれている。プロキシのデータは、本線データと比較して、解像度、符号量も小さく、記録した後の内容確認に伴う復号処理や伝送処理が行い易い。そのため、本線データと同時にプロキシを記録する利点がある。
【０００３】
例えば、水平１９２０画素×垂直１０８０ラインのＨＤＴＶ信号をＭＰＥＧ−２方式で符号化して音声等のデータと合わせて６０Ｍｂｐｓ程度のデータレートで本線記録とし、水平３５２素×垂直２４０ラインの解像度（ＳＩＦ：Source Input Format）でＭＰＥＧ−４  ＡＶＣ方式で符号化して音声等のデータと合わせて１．５Ｍｂｐｓ程度のデータレートでプロキシとして記録する。
【０００４】
ところで、現在はＨＤＴＶの普及に伴い、放送・業務用のカムコーダでも、家庭用のカムコーダでもＨＤＴＶコンテンツがＭＰＥＧ−２方式やＭＰＥＧ−４  ＡＶＣ方式などの符号化データとして記録、保存されるようになったが、その多くは、５９．９４ｉや５０ｉのインタレース信号を符号化したものである。
【０００５】
一方、今後は４ｋや８ｋといったさらに高解像度のコンテンツも作成できるようになり、本線の画像が４ｋあるいは８ｋで、プロキシの画像はＨＤＴＶの解像度とする構成のカメラ一体型レコーダ、レコーダが主流になりうることが想定される。しかし、４ｋや８ｋの解像度においては、今後インタレーススキャンによる撮像は無いとみられる。
【０００６】
実際、現在市場に出ている４ｋカメラ一体型レコーダは全てプログレッシブスキャンで撮像し、符号化はプログレッシブ信号として行われている。同時に低解像度のプロキシを記録できるものも存在するが、それがHDTV解像度であっても1920x1080/59.94p や、1920x1080/29.97pなど、信号源がプログレッシブなら本線もプロキシもプログレッシブ信号の符号化が行われている。
【０００７】
さて、これから先、４ｋ等の高解像度の撮影・記録・保存が比較的容易にできるようになっても、前述のように現状はＨＤＴＶが主たるコンテンツの解像度であるとすると、４ｋ等の高解像度のコンテンツの撮影と同時にＨＤＴＶの解像度による撮影も行い、さらにＭＰＥＧ−２やＭＰＥＧ４−４  ＡＶＣで符号化、記録することで、既存のＨＤＴＶのコンテンツ作成プロセスとの親和性を高めることができる。
【０００８】
コンテンツ作成プロセスの一部に編集作業があり、近年はＰＣ上で符号化データを切り貼りして編集するいわゆるノンリニア編集が多くなっている。このとき、たとえばＭＰＥＧ−２方式で符号化された素材同志であれば、同じ解像度、同じフレームレートなど一定の条件を満たせば、切り貼りしてもその編集点付近だけ再符号化を行って効率よく編集を行うスマートレンダリングという方法を利用できる（例えば、特許文献１参照）。ただし，インタレース信号か、プログレッシブ信号かはスマートレンダリングの可否を決める一つの条件であり、両者が混在する編集はスマートレンダリングできない。どちらかのスキャン方式に合わせるために片方の素材を符号化しなおす必要がある。
【０００９】
このようなワークフローを鑑みると、ＨＤＴＶのインタレース素材が大量に存在する以上、ＨＤＴＶ解像度でプロキシとしての符号化データが生成できても、プログレッシブ信号としての符号化データしか生成できなければ、たとえＭＰＥＧ−２やＭＰＥＧ−４  ＡＶＣといった符号化方式であっても、既存のインタレース素材と混在させるような編集プロセスにおいては広範囲にわたる再符号化の処理が必要となり、再符号化に伴う画質劣化と、時間的なロスが生じ、効率の良いコンテンツ作成を阻害する要因になっていた。
【先行技術文献】
【特許文献】
【００１０】
【特許文献１】特開２０１０−１５４５０２号公報
【発明の概要】
【発明が解決しようとする課題】
【００１１】
本技術の目的は、インタレース信号として符号化された映像の素材と混在させて編集する際に効率的な編集を可能とすることにある。
【課題を解決するための手段】
【００１２】
本技術の概念は、
プログレッシブ方式の第１の映像信号を符号化する第１の符号化部と、
上記第１の映像信号あるいは上記第１の映像信号の解像度および/またはフレームレートを低下させた第２の映像信号をプログレッシブ信号からインタレース信号に変換して第３の映像信号を得るスキャンモード変換部と、
上記第３の映像信号を符号化する第２の符号化部とを備える
符号化装置にある。
【００１３】
本技術において、第１の符号化部により、プログレッシブ方式の第１の映像信号が符号化される。例えば、第１の映像信号を得る撮像部をさらに備える、ようにされてもよい。また、例えば、第１の映像信号は、４ｋ以上の解像度のプログレッシブ信号である、ようにされてもよい。
【００１４】
スキャンモード変換部により、第１の映像信号あるいは第１の映像信号の解像度および/またはフレームレートを低下させた第２の映像信号がプログレッシブ信号からインタレース信号に変換されて第３の映像信号が得られる。例えば、第２の映像信号は、ＨＤ解像度で、フレームレートが２９．９７Ｈｚまたは２５Ｈｚのプログレッシブ信号である、ようにされてもよい。
【００１５】
第２の符号化部により、第３の映像信号が符号化される。例えば、第２の符号化部は、ＩＳＯ/ＩＥＣ  １３８１８−２  ＭＰＥＧ−２方式またはＩＳＯ/ＩＥＣ  １４４９６−１０  ＭＰＥＧ−４  ＡＶＣ方式の符号化を行う、ようにされてもよい。また、第１の符号化部で得られた符号化データおよび第２の符号化部で得られた符号化データを記録メディアに記録する記録部をさらに備える、ようにされてもよい。
【００１６】
このように本技術においては、プログレッシブ方式の第１の映像信号を符号化する他に、この第２の映像信号あるいはこの第１の映像信号の解像度および/またはフレームレートを低下させた第２の映像信号をプログレッシブ信号からインタレース信号に変換して得られた第３の映像信号を符号化するものであり、インタレース信号として符号化された映像の素材と混在させて編集する際に、効率的な編集が可能となる。
【００１７】
なお、本技術において、例えば、第２の映像信号または第３の映像信号を選択的に取り出す選択部をさらに備え、第２の符号化部は、選択部で取り出された映像信号を符号化する、ようにされてもよい。この場合、プロキシとして、プログレッシブ信号またはインタレース信号を必要に応じて選択的に符号化することが可能となる。
【発明の効果】
【００１８】
本技術によれば、インタレース信号として符号化された映像の素材と混在させて編集する際に効率的な編集が可能となる。なお、本明細書に記載された効果はあくまで例示であって限定されるものではなく、また付加的な効果があってもよい。
【図面の簡単な説明】
【００１９】
【図１】第１の実施の形態としてのカメラ一体型レコーダの構成例を示すブロック図である。
【図２】第２の実施の形態としてのカメラ一体型レコーダの構成例を示すブロック図である。
【図３】第３の実施の形態としてのカメラ一体型レコーダの構成例を示すブロック図である。
【発明を実施するための形態】
【００２０】
以下、発明を実施するための形態（以下、「実施の形態」とする）について説明する。なお、説明は以下の順序で行う。
１．第１の実施の形態
２．第２の実施の形態
３．第３の実施の形態
４．変形例
【００２１】
＜１．第１の実施の形態＞
［映像処理装置の構成］
図１は、第１の実施の形態としてのカメラ一体型レコーダ１００の構成例を示している。このカメラ一体型レコーダ１００は、システムコントロール部１０１と、ユーザ操作部１０２と、撮像部１０３と、映像信号前処理部１０４と、本線映像符号化部１０５と、解像度/フレームレート変換部１０６と、スキャンモード変換部１０７を有している。また、このカメラ一体型レコーダ１００は、プロキシ映像符号化部１０９と、音声信号前処理部１１０と、音声符号化部１１１と、メタデータ生成部１１２と、ストリーム多重化部１１３，１１４と、記録メディアインタフェース部１１５と、記録メディア１１６を有している。
【００２２】
システムコントロール部１０１は、カメラ一体型レコーダ１００の各部を制御する。このシステムコントロール部１０１は、１つあるいは複数のＣＰＵ（Central Processing Unit）により構成される。ユーザ操作部１０２は、システムコントロール部１０１に接続されており、ユーザが種々の操作を行うためのユーザインタフェースを構成する。
【００２３】
撮像部１０３は、プログレッシブスキャンで撮像し、４ｋ以上の解像度の映像信号、ここでは４ｋ解像度で、フレームレートが１２０Ｈｚである、プログレッシブ映像信号を得る。ここで、４ｋ解像度は、例えば、水平３８４０画素、垂直２１６０ライン、あるいは水平４０９６画素、垂直２１６０ラインなどの解像度を意味する。映像信号前処理部１０４は、撮像部１０３で得られる４ｋ/１２０Ｐの映像信号に対して、例えば、利得制御、ホワイトバランス調整、ガンマ補正などの処理を行う。
【００２４】
本線映像符号化部１０５は、映像信号前処理部１０４で処理された４ｋ/１２０ｐの映像信号に対して符号化処理を行って、４ｋのプログレッシブ信号の符号化データを得る。この本線映像符号化部１０５は、例えば、ＩＳＯ/ＩＥＣ  １４４９６−１０  ＭＰＥＧ−４  ＡＶＣ方式の符号化を行う。
【００２５】
解像度/フレームレート変換部１０６は、映像信号前処理部１０４で処理された４ｋ/１２０ｐの映像信号に対して解像度/フレームレートの変換処理を行って、ＨＤ解像度で、フレームレートが２９．９７Ｈｚあるいは２５Ｈｚである、プログレッシブ映像信号を得る。ここで、ＨＤ解像度は、例えば、水平１９２０画素、垂直１０８０ライン、あるいは水平１４４０画素、垂直１０８０ラインなどの解像度を意味する。スキャンモード変換部１０７は、解像度/フレームレート変換部１０６で得られるＨＤ/２９．９７ｐあるいはＨＤ/２５ｐの映像信号をプログレッシブ信号からインタレース信号に変換し、ＨＤ/５９．９４ｉあるいはＨＤ/５０ｉのインタレース映像信号を得る。
【００２６】
プロキシ映像符号化部１０９は、スキャンモード変換部１０７で得られる映像信号に対して符号化処理を行って、ＨＤのインタレース信号の符号化データを得る。この際の符号化パラメータは、後に混在して運用すると思われる素材を生成した既存のカメラ一体型レコーダやレコーダの符号化パラメータと揃えられる。このプロキシ映像符号化部１０９は、例えば、ＩＳＯ/ＩＥＣ  １３８１８−２  ＭＰＥＧ−２方式の符号化、あるいはＩＳＯ/ＩＥＣ  １４４９６−１０  ＭＰＥＧ−４  ＡＶＣ方式などの符号化を行う。
【００２７】
音声信号前処理部１１０は、撮像部１０３で得られる映像信号に対応した音声信号に対して、例えば、レベル制御、ノイズ除去などの処理を行う。音声符号化部１１１は、音声信号前処理部１１０で処理された音声信号に対して符号化処理を行って、音声信号の符号化データを得る。この場合、音声符号化部１１１は、本線用およびプロキシ用の符号化データを出力するが、２つの符号化データは同じでも別でもよい。例えば、本線用の符号化データはリニアＰＣＭとされ、プロキシ用の符号化データは圧縮符号化データであってもよい。メタデータ生成部１１２は、映像音声以外の補助データなどをメタデータとして生成する。
【００２８】
ストリーム多重化部１１３は、本線映像符号化部１０５で得られた４ｋのプログレッシブ信号の符号化データと、音声符号化部１１１で得られた音声符号化データと、メタデータ生成部１１２で生成されたメタデータを、例えば、ＭＸＦ（Material Exchange Format）、ＭＰ４（ISO/IEC 14496-14:2003）などのファイルフォーマットに従って束ねて本線記録データを生成する。
【００２９】
ストリーム多重化部１１４は、プロキシ映像符号化部１０９で得られたＨＤのインタレース信号の符号化データと、音声符号化部１１１で得られた音声符号化データと、メタデータ生成部１１２で生成されたメタデータを、例えば、ＭＸＦ、ＭＰ４などのファイルフォーマットに従って束ねてプロキシ記録データを生成する。
【００３０】
記録メディアインタフェース部１１５は、ストリーム多重化部１１３，１１４で生成された記録データを、記録メディア１１６に記録する。記録メディア１１６は、半導体メモリ、光ディスク、磁気ディスクなどである。なお、図示の例では、記録メディア１１６を一つだけ示しているが、本線記録データを記録する記録メディア１１６と、プロキシ記録データを記録する記録メディア１１６が別々になっていてもよい。また、図示の例では、一つの記録メディア１１６に記録するようになっているが、複数の記録メディアに同時に記録する構成も考えられる。
【００３１】
図１に示すカメラ一体型レコーダ１００の動作を説明する。撮像部１０３で、プログレッシブスキャンで撮像が行われ、４ｋ解像度で、フレームレートが１２０Ｈｚである、プログレッシブ映像信号が得られる。このプログレッシブ映像信号は、映像信号前処理部１０４に供給され、例えば、利得制御、ホワイトバランス調整、ガンマ補正などの処理が行われる。処理後の４ｋ/１２０ｐの映像信号は、本線符号化部１０５に供給される。本線符号化部１０５では、この映像信号に対して符号化処理が行われ、４ｋのプログレッシブ信号の符号化データが得られる。
【００３２】
また、処理後の４ｋ/１２０ｐの映像信号は、解像度/フレームレート変換部１０６に供給される。この解像度/フレームレート変換部１０６では、処理後の４ｋ/１２０ｐの映像信号に対して解像度/フレームレートの変換処理が行われ、ＨＤ解像度で、フレームレートが２９．９７Ｈｚあるいは２５Ｈｚである、プログレッシブ映像信号が得られる。このプログレッシブ映像信号は、スキャンモード変換部１０７に供給される。
【００３３】
スキャンモード変換部１０７では、プログレッシブ信号からインタレース信号に変換され、ＨＤ/５９．９４ｉあるいはＨＤ/５０ｉのインタレース映像信号が得られる。このインタレース映像信号は、プロキシ映像符号化部１０９に供給される。プロキシ映像符号化部１０９では、符号化処理が行われ、ＨＤのインタレース信号の符号化データが得られる。この際、符号化パラメータは、後に混在して運用すると思われる素材を生成した既存のカメラ一体型レコーダやレコーダの符号化パラメータと揃えられる。
【００３４】
また、撮像部１０３で得られる映像信号に対応した音声信号は、音声信号前処理部１１０に供給される。この音声信号処理部１１０では、例えば、レベル制御、ノイズ除去などの処理が行われる。処理後の音声信号は、音声符号化部１１１に供給される。音声符号化部１１１では、この音声信号に対して符号化処理が行われ、符号化データが得られる。また、メタデータ生成部１１２では、映像音声以外の補助データなどがメタデータとして生成される。
【００３５】
本線映像符号化部１０５で得られた４ｋのプログレッシブ信号の符号化データ、音声符号化部１１１で得られた音声符号化データおよびメタデータ生成部１１２で生成されたメタデータは、ストリーム多重化部１１３に供給される。このストリーム多重化部１１３では、それらのデータが、例えば、ＭＸＦ、ＭＰ４などのファイルフォーマットに従って束ねられ、本線記録データが生成される。
【００３６】
また、プロキシ映像符号化部１０９で得られたＨＤのインタレース信号の符号化データ、音声符号化部１１１で得られた音声符号化データおよびメタデータ生成部１１２で生成されたメタデータは、ストリーム多重化部１１４に供給される。このストリーム多重化部１１４では、それらのデータが、例えば、ＭＸＦ、ＭＰ４などのファイルフォーマットに従って束ねられ、プロキシ記録データが生成される。
【００３７】
ストリーム多重化部１１３で生成された本線記録データおよびストリーム多重化部１１４で生成されたプロキシ記録データは、記録メディアインタフェース部１１５に供給される。そして、この記録メディアインタフェース部１１５では、これらの記録データが記録メディア１１６に記録される。
【００３８】
上述したように、図１に示すカメラ一体型レコーダ１００においては、４ｋのプログレッシブ映像信号を本線映像信号として記録すると同時に、現行の多くを占めると思われるＨＤのインタレース映像信号の素材と親和性の高い、ＨＤのインタレース映像信号をプロキシ映像信号として同時に記録することが可能となる。そのため、既存の映像信号素材と混在するＮＬＥ（Non Linear Editing）編集において編集点でのスマートレンダリングが可能となる。
【００３９】
現行のＨＤから４ｋ，８ｋへと高解像度化が進んでいく移行期においては、近い将来のために出来るだけ高解像度、高画質で素材を残すとともに、一方で現行システムや現行ワークフローの上で効率よくコンテンツ制作を行いたいというニーズも高まると予想される。図１に示すカメラ一体型レコーダ１００によってその両方を満たすことができる。
【００４０】
＜２．第２の実施の形態＞
［映像処理装置の構成］
図２は、第２の実施の形態としてのカメラ一体型レコーダ２００の構成例を示している。このカメラ一体型レコーダ２００は、システムコントロール部２０１と、ユーザ操作部２０２と、撮像部２０３と、映像信号前処理部２０４と、本線映像符号化部２０５と、スキャンモード変換部２０６を有している。また、このカメラ一体型レコーダ２００は、プロキシ映像符号化部２０７と、音声信号前処理部２０８と、音声符号化部２０９と、メタデータ生成部２１０と、ストリーム多重化部２１１，２１２と、記録メディアインタフェース部２１３と、記録メディア２１４を有している。
【００４１】
システムコントロール部２０１は、カメラ一体型レコーダ２００の各部を制御する。このシステムコントロール部２０１は、１つあるいは複数のＣＰＵ（Central Processing Unit）により構成される。ユーザ操作部２０２は、システムコントロール部１０１に接続されており、ユーザが種々の操作を行うためのユーザインタフェースを構成する。
【００４２】
撮像部２０３は、プログレッシブスキャンで撮像し、ＨＤ解像度で、フレームレートが２９．９７Ｈｚである、プログレッシブ映像信号を得る。ここで、ＨＤ解像度は、例えば、水平１９２０画素、垂直１０８０ライン、あるいは水平１４４０画素、垂直１０８０ラインなどの解像度を意味する。映像信号前処理部２０４は、撮像部２０３で得られるＨＤ/２９．９７ｐの映像信号に対して、例えば、利得制御、ホワイトバランス調整、ガンマ補正などの処理を行う。
【００４３】
本線映像符号化部２０５は、映像信号前処理部２０４で処理されたＨＤ/２９．９７ｐの映像信号に対して符号化処理を行って、ＨＤのプログレッシブ信号の符号化データを得る。この本線映像符号化部２０５は、例えば、高ビットレート（２２０Ｍｂｐｓ）のＩＳＯ/ＩＥＣ  １４４９６−１０  ＭＰＥＧ−４  ＡＶＣ方式の符号化を行う。
【００４４】
スキャンモード変換部２０６は、映像信号前処理部２０４で処理されたＨＤ/２９．９７ｐの映像信号をプログレッシブ信号からインタレース信号に変換し、ＨＤ/５９．９４ｉのインタレース映像信号を得る。プロキシ映像符号化部２０７は、スキャンモード変換部２０６で得られる映像信号に対して符号化処理を行って、ＨＤのインタレース信号の符号化データを得る。この際の符号化パラメータは、後に混在して運用すると思われる素材を生成した既存のカメラ一体型レコーダやレコーダの符号化パラメータと揃えられる。このプロキシ映像符号化部２０７は、例えば、低ビットレート（５０Ｍｂｐｓ）のＩＳＯ/ＩＥＣ  １３８１８−２  ＭＰＥＧ−２方式の符号化を行う。
【００４５】
音声信号前処理部２０８は、撮像部２０３で得られる映像信号に対応した音声信号に対して、例えば、レベル制御、ノイズ除去などの処理を行う。音声符号化部２０９は、音声信号前処理部２０８で処理された音声信号に対して符号化処理を行って、音声信号の符号化データを得る。この場合、音声符号化部２０９は、本線用およびプロキシ用の符号化データを出力するが、２つの符号化データは同じでも別でもよい。例えば、本線用の符号化データはリニアＰＣＭとされ、プロキシ用の符号化データは圧縮符号化データであってもよい。メタデータ生成部２１０は、映像音声以外の補助データなどをメタデータとして生成する。
【００４６】
ストリーム多重化部２１１は、本線映像符号化部２０５で得られたＨＤのプログレッシブ信号の符号化データと、音声符号化部２０９で得られた音声符号化データと、メタデータ生成部２１０で生成されたメタデータを、例えば、ＭＸＦ、ＭＰ４などのファイルフォーマットに従って束ねて本線記録データを生成する。
【００４７】
ストリーム多重化部２１２は、プロキシ映像符号化部２０７で得られたＨＤのインタレース信号の符号化データと、音声符号化部２０９で得られた音声符号化データと、メタデータ生成部２１０で生成されたメタデータを、例えば、ＭＸＦ、ＭＰ４などのファイルフォーマットに従って束ねてプロキシ記録データを生成する。
【００４８】
記録メディアインタフェース部２１３は、ストリーム多重化部２１１，２１２で生成された記録データを、記録メディア２１４に記録する。記録メディア２１４は、半導体メモリ、光ディスク、磁気ディスクなどである。なお、図示の例では、記録メディア２１４を一つだけ示しているが、本線記録データを記録する記録メディア２１４と、プロキシ記録データを記録する記録メディア２１４が別々になっていてもよい。
【００４９】
図２に示すカメラ一体型レコーダ２００の動作を説明する。撮像部２０３で、プログレッシブスキャンで撮像が行われ、ＨＤ解像度で、フレームレートが２９．９７Ｈｚである、プログレッシブ映像信号が得られる。このプログレッシブ映像信号は、映像信号前処理部２０４に供給され、例えば、利得制御、ホワイトバランス調整、ガンマ補正などの処理が行われる。処理後のＨＤ/２９．９７ｐの映像信号は、本線符号化部２０５に供給される。本線符号化部２０５では、高ビットレートのＭＰＥＧ−４  ＡＶＣ方式の符号化処理が行われ、ＨＤのプログレッシブ信号の符号化データが得られる。
【００５０】
また、処理後のＨＤ/２９．９７ｐの映像信号は、スキャンモード変換部２０６に供給される。このスキャンモード変換部２０６では、プログレッシブ信号からインタレース信号に変換され、ＨＤ/５９．９４ｉのインタレース映像信号が得られる。このインタレース映像信号は、プロキシ映像符号化部２０７に供給される。プロキシ映像符号化部２０７では、低ビットレートのＭＰＥＧ−２方式の符号化処理が行われ、ＨＤのインタレース信号の符号化データが得られる。この際、符号化パラメータは、後に混在して運用すると思われる素材を生成した既存のカメラ一体型レコーダやレコーダの符号化パラメータと揃えられる。
【００５１】
また、撮像部２０３で得られる映像信号に対応した音声信号は、音声信号前処理部２０８に供給される。この音声信号処理部２０８では、例えば、レベル制御、ノイズ除去などの処理が行われる。処理後の音声信号は、音声符号化部２０９に供給される。音声符号化部２０９では、この音声信号に対して符号化処理が行われ、符号化データが得られる。また、メタデータ生成部２１０では、映像音声以外の補助データなどがメタデータとして生成される。
【００５２】
本線映像符号化部２０５で得られたＨＤのプログレッシブ信号の符号化データ、音声符号化部２０９で得られた音声符号化データおよびメタデータ生成部２１０で生成されたメタデータは、ストリーム多重化部２１１に供給される。このストリーム多重化部２１１では、それらのデータが、例えば、ＭＸＦ、ＭＰ４などのファイルフォーマットに従って束ねられ、本線記録データが生成される。
【００５３】
また、プロキシ映像符号化部２０７で得られたＨＤのインタレース信号の符号化データ、音声符号化部２０９で得られた音声符号化データおよびメタデータ生成部２１０で生成されたメタデータは、ストリーム多重化部２１２に供給される。このストリーム多重化部２１２では、それらのデータが、例えば、ＭＸＦ、ＭＰ４などのファイルフォーマットに従って束ねられ、プロキシ記録データが生成される。
【００５４】
ストリーム多重化部２１１で生成された本線記録データおよびストリーム多重化部２１２で生成されたプロキシ記録データは、記録メディアインタフェース部２１３に供給される。そして、この記録メディアインタフェース部２１３では、これらの記録データが記録メディア２１４に記録される。
【００５５】
上述したように、図２に示すカメラ一体型レコーダ２００においては、ＨＤのプログレッシブ映像信号を本線映像信号として記録すると同時に、現行の多くを占めると思われるＨＤのインタレース映像信号の素材と親和性の高い、ＨＤのインタレース映像信号をプロキシ映像信号として同時に記録することが可能となる。そのため、既存の映像信号素材と混在するＮＬＥ編集において編集点でのスマートレンダリングが可能となる。
【００５６】
＜３．第３の実施の形態＞
［映像処理装置の構成］
図３は、第３の実施の形態としてのカメラ一体型レコーダ３００の構成例を示している。この図３において、図１と対応する部分には、同一符号を付し、その詳細説明は省略する。
【００５７】
このカメラ一体型レコーダ３００は、システムコントロール部１０１と、ユーザ操作部１０２と、撮像部１０３と、映像信号前処理部１０４と、本線映像符号化部１０５と、解像度/フレームレート変換部１０６と、スキャンモード変換部１０７を有している。また、このカメラ一体型レコーダ３００は、選択部１０８と、プロキシ映像符号化部１０９と、音声信号前処理部１１０と、音声符号化部１１１と、メタデータ生成部１１２と、ストリーム多重化部１１３，１１４と、記録メディアインタフェース部１１５と、記録メディア１１６を有している。
【００５８】
選択部１０８では、スキャンモード変換部１０７で得られるインタレース映像信号または解像度/フレームレート変換部１０６で得られるプログレッシブ映像信号が選択的に取り出される。この選択部１０８における選択は、例えば、ユーザの選択操作に応じて、システムコントロール部１０１により制御される。
【００５９】
プロキシ映像符号化部１０９では、選択部１０８で取り出される映像信号に対して符号化処理が行われ、ＨＤのインタレース信号あるいはプログレッシブ信号の符号化データが得られる。ストリーム多重化部１１４では、プロキシ映像符号化部１０９で得られた、ＨＤのインタレース信号あるいはプログレッシブ信号の符号化データ、音声符号化部１１１で得られた音声符号化データおよびメタデータ生成部１１２で生成されたメタデータが、例えば、ＭＸＦ、ＭＰ４などのファイルフォーマットに従って束ねられてプロキシ記録データが生成される。
【００６０】
詳細説明は省略するが、図３に示すカメラ一体型レコーダ３００のその他の構成は、図１にカメラ一体型レコーダ１００と同様である。
【００６１】
上述したように、図３に示すカメラ一体型レコーダ３００においては、プロキシ映像信号として、ＨＤインタレース映像信号またはＨＤプログレッシブ映像信号を選択的に記録することが可能となる。
【００６２】
図３に示すカメラ一体型レコーダ３００では、４ｋのプログレッシブ映像信号およびＨＤのインタレース映像信号、あるいは４ｋのプログレッシブ映像信号およびＨＤのプログレッシブ映像信号を記録する例を示したが、４ｋのプログレッシブ映像信号、ＨＤのインタレース映像信号およびＨＤのプログレッシブ映像信号の全てを記録することも考えられる。
【００６３】
＜４．変形例＞
なお、上述実施の形態においては、本技術をカメラ一体型レコーダに適用した例を示したが、撮像部を備えていないレコーダ、あるいは記録部を備えていないカメラなどにも同様に適用できることは勿論である。
【００６４】
また、本技術は、以下のような構成を取ることもできる。
（１）プログレッシブ方式の第１の映像信号を符号化する第１の符号化部と、
上記第１の映像信号あるいは上記第１の映像信号の解像度および/またはフレームレートを低下させた第２の映像信号をプログレッシブ信号からインタレース信号に変換して第３の映像信号を得るスキャンモード変換部と、
上記第３の映像信号を符号化する第２の符号化部とを備える
符号化装置。
（２）上記第１の映像信号を得る撮像部をさらに備える
前記（１）に記載の符号化装置。
（３）上記第１の符号化部で得られた符号化データおよび上記第２の符号化部で得られた符号化データを記録メディアに記録する記録部をさらに備える
前記（１）に記載の符号化装置。
（４）上記第１の映像信号を得る撮像部と、
上記第１の符号化部で得られた符号化データおよび上記第２の符号化部で得られた符号化データを記録メディアに記録する記録部とをさらに備える
前記（１）に記載の符号化装置。
（５）上記第２の映像信号または上記第３の映像信号を選択的に取り出す選択部をさらに備え、
上記第２の符号化部は、
上記選択部で取り出された映像信号を符号化する
前記（１）から（４）のいずれかに記載の符号化装置。
（６）上記第２の映像信号は、ＨＤ解像度で、フレームレートが２９．９７Ｈｚまたは２５Ｈｚのプログレッシブ信号である
前記（１）から（５）のいずれかに記載の符号化装置。
（７）上記第１の映像信号は、４ｋ以上の解像度のプログレッシブ信号である
前記（１）から（６）のいずれかに記載の符号化装置。
（８）上記第２の符号化部は、
ＩＳＯ/ＩＥＣ  １３８１８−２  ＭＰＥＧ−２方式の符号化を行う
前記（１）から（７）のいずれかに記載の符号化装置。
（９）上記第２の符号化部は、
ＩＳＯ/ＩＥＣ  １４４９６−１０  ＭＰＥＧ−４  ＡＶＣ方式の符号化を行う
前記（１）から（７）のいずれかに記載の符号化装置。
（１０）プログレッシブ方式の第１の映像信号を第１の符号化部で符号化する第１の符号化ステップと、
上記第１の映像信号あるいは上記第１の映像信号の解像度および/またはフレームレートを低下させた第２の映像信号をプログレッシブ信号からインタレース信号に変換して第３の映像信号を得るスキャンモード変換ステップと、
上記第３の映像信号を第２の符号化部で符号化する第２の符号化ステップとを有する
符号化方法。
（１１）プログレッシブ方式の第１の映像信号を得る撮像部と、
上記第１の映像信号を符号化する第１の符号化部と、
上記第１の映像信号あるいは上記第１の映像信号の解像度および/またはフレームレートを低下させた第２の映像信号をプログレッシブ信号からインタレース信号に変換して第３の映像信号を得るスキャンモード変換部と、
上記第３の映像信号を符号化する第２の符号化部とを備える
カメラ。
（１２）プログレッシブ方式の第１の映像信号を符号化する第１の符号化部と、
上記第１の映像信号あるいは上記第１の映像信号の解像度および/またはフレームレートを低下させた第２の映像信号をプログレッシブ信号からインタレース信号に変換して第３の映像信号を得るスキャンモード変換部と、
上記第３の映像信号を符号化する第２の符号化部と、
上記第１の符号化部で得られた符号化データおよび上記第２の符号化部で得られた符号化データを記録メディアに記録する記録部とを備える
レコーダ。
（１３）プログレッシブ方式の第１の映像信号を得る撮像部と、
上記第１の映像信号を符号化する第１の符号化部と、
上記第１の映像信号あるいは上記第１の映像信号の解像度および/またはフレームレートを低下させた第２の映像信号をプログレッシブ信号からインタレース信号に変換して第３の映像信号を得るスキャンモード変換部と、
上記第３の映像信号を符号化する第２の符号化部と、
上記第１の符号化部で得られた符号化データおよび上記第２の符号化部で得られた符号化データを記録メディアに記録する記録部とを備える
カメラ一体型レコーダ。
【符号の説明】
【００６５】
１００，２００，３００・・・カメラ一体型レコーダ
１０１，２０１・・・システムコントロール部
１０２，２０２・・・ユーザ操作部
１０３，２０３・・・撮像部
１０４，２０４・・・映像信号前処理部
１０５，２０５・・・本線映像符号化部
１０６・・・解像度/フレームレート変換部
１０７，２０６・・・スキャンモード変換部
１０８・・・選択部
１０９，２０７・・・プロキシ映像符号化部
１１０，２０８・・・音声信号前処理部
１１１，２０９・・・音声符号化部
１１２，２１０・・・メタデータ生成部
１１３，１１４，２１１，２１２・・・ストリーム多重化部
１１５，２１３・・・記録メディアインタフェース部
１１６，２１４・・・記録メディア
【図１】
2016005032.tif 000003
【図２】
2016005032.tif 000004
【図３】
2016005032.tif 000005